(57)【要約】【課題】封筒の配送で利用するために送付台紙に印字する配送管理番号を利用して，封筒に同封した送付台紙と非接触型記録媒体の組合せを検査できる装置を提供する。【解決手段】本発明の同封検査装置１は，封筒２に封入する送付台紙２０の配送管理番号に，送付台紙２０と共に同封する非接触型記録媒体２１の固有データを関連付けた組合せデータを封筒２毎に記憶した組合せＤＢ１１と，コードスキャナ１２を利用して，封筒２に封入された送付台紙２０から配送管理番号を読み取り，更に，非接触リーダ１３を利用して，送付台紙２０と共に同封された非接触型記録媒体２１から固有データを読み取った後，送付台紙２０から読み取った配送管理番号を含む組合せデータを組合せＤＢ１１から検索し，検索した組合せデータの固有データと非接触型記録媒体２１から読み取った固有データを照合する同封検査手段１０を備える。【選択図】図３
2014228980.tif 000002
【特許請求の範囲】
【請求項１】
封筒に封入する送付台紙の配送管理番号に，前記送付台紙と共に同封する非接触型記録媒体の固有データを関連付けた組合せデータを封筒毎に記憶した組合せＤＢと，
コードスキャナを利用して，封筒に封入された前記送付台紙から前記配送管理番号を読み取り，更に，非接触リーダを利用して，前記送付台紙と共に封筒に同封された前記非接触型記録媒体から前記固有データを読み取った後，前記送付台紙から読み取った前記配送管理番号を含む前記組合せデータを前記組合せＤＢから検索し，検索した前記組合せデータの前記固有データと前記非接触型記録媒体から読み取った前記固有データを照合する同封検査手段と，
を備えたことを特徴とする同封検査装置。
【請求項２】
封筒に封入する送付台紙の配送管理番号に，前記送付台紙と共に同封する非接触型記録媒体の固有データを関連付けた組合せデータを封筒毎に記憶した組合せＤＢを有する装置が，
コードスキャナを利用して，同封検査する封筒に封入された前記送付台紙から前記配送管理番号を読み取る段階，
非接触リーダを利用して，前記送付台紙と共に同封された前記非接触型記録媒体から前記固有データを読み取る段階，
前記送付台紙から読み取った前記配送管理番号を含む前記組合せデータを前記組合せＤＢから検索する段階，
検索した前記組合せデータの前記固有データと前記非接触型記録媒体から読み取った前記固有データを照合する段階，
を実行することを特徴とする同封検査方法。
【発明の詳細な説明】
【技術分野】
【０００１】
本発明は，封筒に封入した送付台紙と非接触型記録媒体の組合せを検査する技術に関する。
【背景技術】
【０００２】
現在，カード製造会社では，ＦｅｌｉＣａ（登録商標）やＭＩＦＡＲＥ（登録商標）などに準拠した非接触型記録媒体を封筒に封入して個人宛に発送する業務が増えている。個人宛に送付する非接触型記録媒体としては，非接触型の電子マネーに対応したクレジットカードが多いが，個人宛に発送する非接触型記録媒体の形態はカード型のみならず，キーホルダー型やコイン型等，様々な形態がある。
【０００３】
このような非接触型記録媒体を個人宛に発送する際，非接触型記録媒体を発行した後，住所や氏名などの宛先を印字した送付台紙と共に，発行後の非接触型記録媒体を封筒へ同封し，簡易書留郵便や宅配便などによって封入封緘後の封筒を個人に配送するが，非接触型記録媒体の発行内容は宛先毎に異なるため，封筒を発送する前に，封筒に封入した送付台紙と非接触型記録媒体が正しい組合せであるか検査する必要がある。
【０００４】
送付台紙と送付台紙に貼る情報記録媒体（ここでは，ＩＣカード）の組合せを検査する発明として，ＩＣカードからカード識別情報と発行データを読み取った後，カード識別情報に関連付けて記憶されている発行データとＩＣカードから読み取った発行データ，および，ＩＣカードから読み取った発行データと送付台紙から光学的に読み取った台紙情報を照合し，これらの照合に成功するとＩＣカードを送付台紙に取り付ける発明が特許文献１で開示されている。
【先行技術文献】
【特許文献】
【０００５】
【特許文献１】特開２００４−２８７５８６号公報
【発明の概要】
【発明が解決しようとする課題】
【０００６】
非接触型記録媒体は封筒に封入された状態で非接触通信できるため，封筒に封入された送付台紙から光学的に読み取ったデータと，送付台紙と共に封筒に同封された非接触型記録媒体から非接触で読み取ったデータを照合することで，送付台紙と非接触型記録媒体が正しい組合せであるか検査できるが，従来の技術では，送付台紙と非接触型記録媒体が正しい組合せであるか検査するためには，非接触型記録媒体毎でユニークなデータを送付台紙に印字する必要がある。
【０００７】
非接触型記録媒体毎でユニークなデータは，非接触型記録媒体のイシュア（カード発行会社など），封筒を配送する配送事業者（郵便事業者や宅配事業者）または非接触型記録媒体を受け取るエンドユーザ側からすると送付台紙には必要の無い情報であるため，非接触型記録媒体毎でユニークなデータを送付台紙に印字すると，送付台紙の意匠性を損ねるばかりか，これらの方から不必要な問い合わせが発生してしまう問題がある。
【０００８】
送付台紙と共に非接触型記録媒体を同封した封筒を個人宛に配送することを考慮すると，封筒の配送で用いられる配送管理番号が送付台紙に必ず印字されるため，この配送管理番号を利用して，封筒に同封した送付台紙と非接触型記録媒体が正しい組合せであるか検査できれば，上述した問題は解決できると考えられる。
【０００９】
そこで，本発明は，封筒の配送で利用するために送付台紙に印字する配送管理番号を利用して，封筒に同封した送付台紙と非接触型記録媒体の組合せを検査できる装置および方法を提供することを目的とする。
【課題を解決するための手段】
【００１０】
上述した課題を解決する第１の発明は，封筒に封入する送付台紙の配送管理番号に，前記送付台紙と共に同封する非接触型記録媒体の固有データを関連付けた組合せデータを封筒毎に記憶した組合せＤＢと，コードスキャナを利用して，同封検査する封筒に封入された前記送付台紙から前記配送管理番号を読み取り，更に，非接触リーダを利用して，前記送付台紙と共に同封された前記非接触型記録媒体から前記固有データを読み取った後，前記送付台紙から読み取った前記配送管理番号を含む前記組合せデータを前記組合せＤＢから検索し，検索した前記組合せデータの前記固有データと前記非接触型記録媒体から読み取った前記固有データを照合する同封検査手段を備えたことを特徴とする同封検査装置である。
【００１１】
上述した課題を解決する第２の発明は，封筒に封入する送付台紙の配送管理番号に，前記送付台紙と共に同封する非接触型記録媒体の固有データを関連付けた組合せデータを封筒毎に記憶した組合せＤＢを有する装置が，コードスキャナを利用して，同封検査する封筒に封入された前記送付台紙から前記配送管理番号を読み取る段階，非接触リーダを利用して，前記送付台紙と共に同封された前記非接触型記録媒体から前記固有データを読み取る段階，前記送付台紙から読み取った前記配送管理番号を含む前記組合せデータを前記組合せＤＢから検索する段階，検索した前記組合せデータの前記固有データと前記非接触型記録媒体から読み取った前記固有データを照合する段階を実行することを特徴とする同封検査方法である。
【発明の効果】
【００１２】
このように，同封検査する封筒毎に，封筒に封入する送付台紙の配送管理番号と送付台紙と共に同封する非接触型記録媒体の固有データを関連付けた組合せデータを予め記憶した組合せＤＢを用意し，送付台紙から読み取った配送管理番号に対応する組合せデータの固有データを期待値とし，非接触型記録媒体から読み取った固有データを照合することで，送付台紙に印字する配送管理番号を利用して，封筒に同封した送付台紙と非接触型記録媒体の組合せを検査できる装置および方法を提供できる。
【図面の簡単な説明】
【００１３】
【図１】本実施形態にかかる同封検査装置の構成を説明する図。
【図２】本実施形態にかかる同封検査装置が同封検査する封筒を説明する図。
【図３】同封検査装置のブロック図。
【図４】同封検査装置が備えた組合せＤＢの構造を説明する図。
【図５】同封検査装置の同封検査手段が封筒毎に実施する動作を説明する図。
【発明を実施するための形態】
【００１４】
ここから，本発明の好適な実施形態を記載する。なお，以下の記載は本発明の範囲を束縛するものでなく，理解を助けるために記述するものである。
【００１５】
図１は，本実施形態にかかる同封検査装置１の構成を説明する図である。本実施形態にかかる同封検査装置１は，封筒２の配送で利用するために送付台紙に印字する配送管理番号を利用して，封筒２に同封した送付台紙と非接触型記録媒体の組合せを検査できるように開発された装置で，図１に図示した同封検査装置１には，ベルトコンベア３で搬送される封筒２の配送管理番号を読み取るコードスキャナ１２と，封筒２に同封された非接触型記録媒体から固有データを読み取る非接触リーダ１３が接続されている。
【００１６】
図２は，本実施形態にかかる同封検査装置１が同封検査する封筒２を説明する図で，図２（ａ）では，封入封緘後の封筒２を図示している。図２（ａ）に図示したように，本実施形態の封筒２には窓２aが設けられ，この封筒２には，送付台紙２０と非接触型記録媒体２１が同封される。
【００１７】
図２（ｂ）は送付台紙２０を説明する図である。封筒２に封入する送付台紙２０には，住所や氏名などの宛先２０ｂに加え，封筒２毎にユニークな番号で，封筒２の配送で用いる配送管理番号をエンコードした１次元バーコード２０aが封筒２の窓から見える位置に印字されている。なお，図２では，配送管理番号の印字形態を１次元バーコード２０aとしているが，配送管理番号の印字形態は２次元バーコードやＯＣＲ文字でもよい。
【００１８】
光学式コードにエンコードされた配送管理番号は，非接触型記録媒体２１を配送する配送事業者側（例えば，郵便事業者や宅配事業者）が配送管理に用いるデータで，配送管理番号の具体的な内容は封筒２の配送方法で異なる。封筒２の配送方法が簡易書留郵便ならば，送付台紙２０に印字する配送管理番号は簡易書留番号になる。また，封筒２の配送方法が宅配便ならば，送付台紙２０に印字する配送管理番号は宅配便の伝票番号になる。
【００１９】
本実施形態において，送付台紙２０に印字する配送管理番号は，配送事業者側が配送管理に用いるばかりでなく，封筒２の同封検査にも用いられる。配送管理番号を同封検査に用いれば，同封検査のためだけに用いるデータを送付台紙２０に印字する必要がなくなり，送付台紙２０の意匠性が損なわれたり，非接触型記録媒体２１のイシュア等からの不必要な問合せが発生してしまう問題はなくなる。
【００２０】
図２（ｃ）は非接触型記録媒体２１を説明する図である。送付台紙２０と共に封筒２に同封する非接触型記録媒体２１は，非接触通信するためのアンテナ２１ｂと非接触通信に対応しＩＣチップ２１aを有する。本実施形態では，非接触型記録媒体２１の形態をキーホルダー型として図示しているが，非接触型記録媒体２１の形態は任意でよく，非接触型記録媒体２１の形態としては，ＩＣカード型，コイン型等，様々な形態が考えられる。
【００２１】
非接触型記録媒体２１のＩＣチップ２１aには，同封検査に用いるデータとして，非接触型記録媒体２１で固有の固有データが記憶される。同封検査に用いる固有データは，非接触型記録媒体２１毎にユニークなデータであれば，非接触型記録媒体２１の運用で用いるデータでもよく，また，同封検査のみに用いるデータであってもよい。例えば，非接触型記録媒体２１を非接触型ＩＣカードする場合，非接触型ＩＣカード毎に異なるカード番号を固有データとして用いることができる。
【００２２】
ここから，同封検査装置１について説明する。図３は，同封検査装置１のブロック図である。同封検査装置１は，汎用的なパーソナルコンピュータを用いて実現される装置で，上述しているように，同封検査装置１にはコードスキャナ１２と非接触リーダ１３が接続される。また，同封検査装置１は，コンピュータプログラムによって実現する機能として，封筒２の配送で利用するために送付台紙２０に印字する配送管理番号を利用して，封筒２に同封した送付台紙２０と非接触型記録媒体２１の組合せを検査する同封検査手段１０を備え，更に，ＤＢ（DataBase）として，同封検査に用いるデータを記憶した組合せＤＢ１１を備える。
【００２３】
同封検査装置１と接続しているコードスキャナ１２は，送付台紙２０に印字された配送管理番号を光学的に読み取りに用いる装置で，コードスキャナ１２の形態は配送管理番号の印字形態に依存する。例えば，配送管理番号の印字形態が１次元バーコードならば，コードスキャナ１２は１次元バーコードスキャナになる。
【００２４】
同封検査装置１と接続している非接触リーダ１３は，封筒２に封入された非接触型記録媒体２１から固有データを非接触で読み取る装置で，非接触リーダ１３の形態は非接触型記録媒体２１の形態に依存する。例えば，封筒２に同封する非接触型記録媒体２１がＦｅｌｉＣａ（登録商標）に対応している場合，非接触リーダ１３はＦｅｌｉＣａ（登録商標）に対応したリーダになる。
【００２５】
図４は，同封検査装置１が備えた組合せＤＢ１１の構造を説明する図である。組合せＤＢ１１には，同封検査装置１が同封検査する封筒２毎に，封筒２に封入する送付台紙２０の配送管理番号と送付台紙２０と共に同封する非接触型記録媒体２１の固有データを関連付けた組合せデータが記憶される。
【００２６】
このように，同封検査装置１が同封検査する封筒２毎に，封筒２に封入する送付台紙２０の配送管理番号と送付台紙２０と共に同封する非接触型記録媒体２１の固有データを関連付けた組合せデータを組合せＤＢ１１に記憶させておけば，送付台紙２０に印字する配送管理番号を用いて，送付台紙２０と非接触型記録媒体２１の組合せを検査する際，送付台紙２０に印字する配送管理番号そのものを非接触型記録媒体２１に記憶させることが必要になくなる。
【００２７】
図５は，同封検査装置１の同封検査手段１０が封筒２毎に実施する動作を説明する図である。ベルトコンベアで搬送される封筒２がデータを読み取る位置に搬送されたタイミングで，同封検査装置１の同封検査手段１０は，同封検査装置１と接続しているコードスキャナ１２を作動させて，この封筒２の窓から見える送付台紙２０に印字された配送管理番号を読み取り（Ｓ１），更に，同封検査装置１と接続している非接触リーダ１３を作動させて，配送管理番号を読み取った送付台紙２０と共に封筒２に同封されている非接触型記録媒体２１から固有データを読み取る（Ｓ２）。
【００２８】
図１では図示していないが，ベルトコンベア３に取り付けたエンコーダのパルス信号やベルトコンベア３上の封筒２を検出するセンサ（例えば，変位センサ）の検出信号を同封検査装置１に入力すれば，同封検査装置１の同封検査手段１０は配送管理番号等を読み取るタイミングを得ることができる。
【００２９】
封筒２から配送管理番号と固有データを読み取ると，同封検査装置１の同封検査手段１０は，組合せＤＢ１１から，送付台紙２０から読み取った配送管理番号を含む組合せデータを検索する（Ｓ３）。
【００３０】
次に，同封検査装置１の同封検査手段１０は，送付台紙２０と非接触型記録媒体２１の組合せを検査するために，検索した組合せデータの固有データと非接触型記録媒体２１から読み取った固有データを照合し，送付台紙２０から読み取った配送管理番号に関連付けて照合結果を記憶する（Ｓ４）。なお，非接触型記録媒体２１から読み取った固有データの照合に失敗した場合は，照合の失敗を音声や光で通知するようにするとよい。
【符号の説明】
【００３１】
１    同封検査装置
１０  同封検査手段
１１  組合せＤＢ
１２  コードスキャナ
１３  非接触リーダ
２    封筒
２０  送付台紙
２１  非接触型記録媒体
【図１】
2014228980.tif 000003
【図２】
2014228980.tif 000004
【図３】
2014228980.tif 000005
【図４】
2014228980.tif 000006
【図５】
2014228980.tif 000007